(57)【要約】【課題】開閉が可能な袋を提供する。【解決手段】袋は、収容部を備え、第１フィルムと、第１フィルムとの間に収容部を画成する第２フィルムと、袋の外縁に沿って延びるとともに互いに対向する第１側部シール部及び第２側部シール部と、蒸気抜き機構と、第１フィルムの内面に接合されている第１接合部と、第１接合部と重ならないよう位置する第１嵌合部と、を有する第１部材と、第１フィルムの内面に接合されている第２接合部と、第１嵌合部と嵌合可能な第２嵌合部と、を有する第２部材と、第１接合部と第２接合部との間の位置において第１フィルムを破断させるための破断機構と、を備え、第１部材の第１接合部及び第１嵌合部並びに前記第２部材の第２嵌合部及び第２接合部はそれぞれ、第１側部シール部から第２側部シール部に延びており、第１部材のうち第１側部シール部と第２側部シール部との間に位置する部分は、第２フィルムと接合されていない。【選択図】図１Ａ
2019137466.tif 000002
【特許請求の範囲】
【請求項１】
内容物を収容する収容部を備える袋であって、
前記袋の第１面を構成する第１フィルムと、
前記第１面に対向する第２面を構成する第２フィルムであって、前記第１フィルムとの間に前記収容部を画成する第２フィルムと、
前記袋の外縁に沿って延びるとともに互いに対向し、前記第１フィルムと前記第２フィルムとを接合する第１側部シール部及び第２側部シール部と、
前記収容部内の蒸気を外部に排出する蒸気抜き機構と、
前記第１フィルムの内面に接合されている第１接合部と、前記第１接合部と重ならないよう位置する第１嵌合部と、を有する第１部材と、
前記第１フィルムの内面に接合されている第２接合部と、前記第１嵌合部と嵌合可能な第２嵌合部と、を有する第２部材と、
前記第１接合部と前記第２接合部との間の位置において前記第１フィルムを破断させるための破断機構と、を備え、
前記第１部材の前記第１接合部及び前記第１嵌合部並びに前記第２部材の前記第２嵌合部及び前記第２接合部はそれぞれ、前記第１側部シール部から前記第２側部シール部に延びており、
前記第１部材のうち前記第１側部シール部と前記第２側部シール部との間に位置する部分は、前記第２フィルムと接合されていない、袋。
【請求項２】
前記第１フィルムと前記第２フィルムとの間に位置し、前記袋の下部を構成する第３フィルムを更に備える、請求項１に記載の袋。
【請求項３】
前記蒸気抜き機構は、前記第１部材及び前記第２部材よりも上部側に設けられている、請求項２に記載の袋。
【請求項４】
前記蒸気抜き機構は、前記第１部材及び前記第２部材よりも下部側に設けられている、請求項２に記載の袋。
【請求項５】
請求項１乃至４のいずれか一項に記載の袋の使用方法であって、
前記破断機構を用いて前記第１接合部と前記第２接合部との間の位置において前記第１フィルムを破断させ、前記収容部に連通する開口部を形成する開封工程と、
前記開口部を介して前記袋に内容物を収容する収容工程と、
前記第１嵌合部と前記第２嵌合部とを嵌合させて前記袋を封止する封止工程と、を備える、袋の使用方法。
【発明の詳細な説明】
【技術分野】
【０００１】
本発明は、蒸気抜き機構を備えた袋に関する。
【背景技術】
【０００２】
従来、調理済あるいは半調理済の液体、粘体あるいは液体と固体とが混在する内容物を、プラスチック製の積層体から構成された袋に充填密封したものが多く市場に出回っている。袋においては、積層体同士が接合されていない非シール部が、内容物が収容される収容部を構成している。また、積層体同士が接合されているシール部が、収容部を密封している。内容物は、例えば、カレー、シチュー、スープ等の調理済食品である。内容物は、袋に収容された状態で、電子レンジなどによって加熱される。
【０００３】
袋は一般に、内面が熱可塑性樹脂層で構成された、袋の表面と裏面とを構成する２枚のフィルムを互いに熱溶着して、側縁シール部や下縁シール部などのシール部を形成することによって得られる。この際、通常は、袋の上部においては２枚のフィルムを熱溶着せず、これによって、袋の上部に開口部を形成しておく。次に、この開口部を介して袋の内部に内容物を充填する。その後、袋の上部で２枚のフィルムを再び互いに熱溶着することによって、袋の上部に上縁シール部を形成し、これによって袋を密閉する。このようにして、内容物が充填された袋が得られる。
【０００４】
ところで、密封された状態の袋に収容された内容物を、電子レンジを利用して加熱すると、加熱に伴って内容物に含まれる水分が蒸発して収容部の圧力が高まっていく。袋の収容部の圧力が高まると、袋が破裂して内容物が飛散し電子レンジ内を汚してしまうおそれがある。このような課題を考慮し、例えば特許文献１は、収容部の圧力が高まると収容部と外部とを自動的に連通させて収容部内の蒸気を外部に逃がす蒸気抜き機構を、自立可能な底ガセットタイプの袋に設けることを提案している。蒸気抜き機構を袋に設けることにより、袋を予め開封した状態で内容物を加熱する場合に比べて、より高い圧力や熱を内容物に加えることができる。
【先行技術文献】
【特許文献】
【０００５】
【特許文献１】特開２０１５−１２０５５０号公報
【発明の概要】
【発明が解決しようとする課題】
【０００６】
消費者が袋に内容物を追加した上で袋を加熱することが求められる場合がある。しかしながら、袋に内容物を追加するために袋を開封すると、その後に内容物を加熱する際、開封箇所から蒸気が漏れるので、袋の内部の圧力や温度が高くなりにくい。
【０００７】
本開示の実施形態は、このような課題を解決することができる袋を提供することを目的とする。
【課題を解決するための手段】
【０００８】
本発明は、内容物を収容する収容部を備える袋であって、前記袋の第１面を構成する第１フィルムと、前記第１面に対向する第２面を構成する第２フィルムであって、前記第１フィルムとの間に前記収容部を画成する第２フィルムと、前記袋の外縁に沿って延びるとともに互いに対向し、前記第１フィルムと前記第２フィルムとを接合する第１側部シール部及び第２側部シール部と、前記収容部内の蒸気を外部に排出する蒸気抜き機構と、前記第１フィルムの内面に接合されている第１接合部と、前記第１接合部と重ならないよう位置する第１嵌合部と、を有する第１部材と、前記第１フィルムの内面に接合されている第２接合部と、前記第１嵌合部と嵌合可能な第２嵌合部と、を有する第２部材と、前記第１接合部と前記第２接合部との間の位置において前記第１フィルムを破断させるための破断機構と、を備え、前記第１部材の前記第１接合部及び前記第１嵌合部並びに前記第２部材の前記第２嵌合部及び前記第２接合部はそれぞれ、前記第１側部シール部から前記第２側部シール部に延びており、前記第１部材のうち前記第１側部シール部と前記第２側部シール部との間に位置する部分は、前記第２フィルムと接合されていない、袋である。
【０００９】
本発明による袋において、前記第１フィルムと前記第２フィルムとの間に位置し、前記袋の下部を構成する第３フィルムを更に備えてもよい。
【００１０】
本発明による袋において、前記蒸気抜き機構は、前記第１部材及び前記第２部材よりも上部側に設けられていてもよい。
【００１１】
本発明による袋において、前記蒸気抜き機構は、前記第１部材及び前記第２部材よりも下部側に設けられていてもよい。
【００１２】
本発明は、上記記載の袋の使用方法であって、前記破断機構を用いて前記第１接合部と前記第２接合部との間の位置において前記第１フィルムを破断させ、前記収容部に連通する開口部を形成する開封工程と、前記開口部を介して前記袋に内容物を収容する収容工程と、前記第１嵌合部と前記第２嵌合部とを嵌合させて前記袋を封止する封止工程と、を備える、袋の使用方法である。
【発明の効果】
【００１３】
本開示の実施形態によれば、開閉が可能な袋を提供することができる。
【図面の簡単な説明】
【００１４】
【図１Ａ】本発明の実施の形態における袋を示す正面図である。
【図１Ｂ】積層体の層構成の一例を示す断面図である。
【図２】図１Ａに示す袋をＩＩ−ＩＩ線に沿って見た場合を示す断面図である。
【図３】図１Ａに示す袋をＩＩＩ−ＩＩＩ線に沿って見た場合を示す断面図である。
【図４】袋の製造工程の一部を示す図である。
【図５】袋の製造工程の一部を示す図である。
【図６】上部が封止された状態の袋を示す正面図である。
【図７】図６に示す袋をＶＩＩ−ＶＩＩ線に沿って見た場合を示す断面図である。
【図８】破断機構を用いて開封された状態の袋を示す斜視図である。
【図９】破断機構を用いて開封された状態の袋を示す断面図である。
【図１０】嵌合部によって封止された状態の袋を示す断面図である。
【図１１】袋の一変形例を示す正面図である。
【図１２】袋の一変形例を示す正面図である。
【図１３】袋の一変形例を示す正面図である。
【図１４】袋の一変形例を示す正面図である。
【図１５】袋の一変形例を示す正面図である。
【図１６】袋の一変形例を示す正面図である。
【図１７】袋の一変形例を示す正面図である。
【図１８】袋の一変形例を示す正面図である。
【発明を実施するための形態】
【００１５】
以下、図１Ａ乃至図１０を参照して、本発明の実施の形態について説明する。なお、本件明細書に添付する図面においては、図示と理解のしやすさの便宜上、縮尺及び縦横の寸法比等を、実物のそれらから適宜変更し誇張してある。
【００１６】
また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１７】
袋
図１Ａは、本実施の形態における袋１０を表面側から見た場合を示す正面図である。袋１０は、内容物を収容する収容部１８を備える。なお、図１Ａにおいては、内容物が収容される前の、上部１１が開口している状態の袋１０が示されている。上部１１は、袋１０に内容物を収容した後に封止される。本実施の形態による袋１０は、電子レンジによって内容物が加熱される電子レンジ用パウチとして好適に使用することができるよう構成されている。
【００１８】
本実施の形態においては、上部１１が封止された状態の袋１０に予め収容されている内容物に加えて、消費者が更に内容物を追加した状態で、電子レンジなどによって内容物を加熱する、という袋１０の使い方が想定されている。以下の説明において、上部１１が封止された状態の袋１０に予め収容されている内容物のことを、第１内容物とも称する。また、上部１１が封止された状態の袋１０の一部を開封して消費者が追加する内容物のことを、第２内容物とも称する。
第１内容物の例としては、調味料、スープ、出汁、粉などを挙げることができる。第２内容物としては、第１内容物と合わせて加熱されることが好ましいものが選択される。第２内容物の例としては、野菜などの食材、麺類、割下、水などを挙げることができる。なお、電子レンジによって加熱され得る限りにおいて、第１内容物及び第２内容物として、上記以外のものを選択することが可能である。
【００１９】
本実施の形態において、袋１０は、自立可能に構成された底ガセット式の袋である。袋１０は、上部１１、下部１２、第１側部１３及び第２側部１４を含み、正面図において略矩形状の輪郭を有する。なお、「上部」、「下部」及び「側部」などの名称、並びに、「上方」などの用語は、ガセット部を下にして袋１０が自立している状態を基準として袋１０やその構成要素の位置や方向を相対的に表したものに過ぎない。袋１０の輸送時や使用時の姿勢などは、本明細書における名称や用語によっては限定されない。
【００２０】
以下、袋１０の構成について説明する。本実施の形態による袋１０は、第１フィルム１５、第２フィルム１６、第３フィルム１７、蒸気抜き機構２０、第１部材３１、第２部材３２及び破断機構３３を備える。第１フィルム１５は袋１０の表面を構成し、第２フィルム１６は袋１０の裏面を構成し、第３フィルム１７は袋１０の下部１２を構成している。第３フィルム１７は、折り返し部１７ｆで折り返された状態で、第１フィルム１５と第２フィルム１６との間に配置されている。蒸気抜き機構２０は、蒸気の圧力が所定値以上になったときに袋１０の内部と外部とを連通させて蒸気を逃がすとともに、蒸気抜き機構２０以外の箇所から蒸気抜きが生じることを抑制するための構成要素である。破断機構３３は、消費者が第２内容物を袋１０に投入する際に袋１０を開封するための構成要素である。第１部材３１及び第２部材３２は、消費者が第２内容物を袋１０に投入した後に袋１０を封止するための構成要素である。第１部材３１は、図１Ａに示す第１接合部３１ａ及び第１嵌合部３１ｂを有する。第２部材３２は、図１Ａに示す第２接合部３２ａ及び第２嵌合部３２ｂを有する。なお、図１Ａにおいては、第２フィルム１６などの、袋１０を表面側から見た場合には視認されない構成要素が点線で表されている。
【００２１】
なお、上述の「第１フィルム」、「第２フィルム」及び「第３フィルム」という用語は、袋１０の表面、裏面又は下部１２に位置するといった、袋１０における位置関係に応じて各フィルムを区画したものに過ぎず、袋１０を製造する際のフィルムの提供方法が、上述の用語によって限定されることはない。例えば、袋１０は、第１フィルム１５と第２フィルム１６と第３フィルム１７が連設された１枚のフィルムを用いて製造されてもよく、第１フィルム１５と第３フィルム１７が連設された１枚のフィルムと１枚の第２フィルム１６の計２枚のフィルムを用いて製造されてもよく、１枚の第１フィルム１５と１枚の第２フィルム１６と１枚の第３フィルム１７の計３枚のフィルムを用いて製造されてもよい。
【００２２】
第１フィルム１５、第２フィルム１６及び第３フィルム１７は、内面同士がシール部によって接合されている。図１Ａなどの平面図においては、シール部と、後述する第１接合部３１ａ及び第２接合部３２ａにハッチングが施されている。
【００２３】
図１Ａに示すように、シール部は、袋１０の外縁に沿って延びる外縁シール部と、蒸気抜き機構２０を構成する蒸気抜きシール部２０ａと、を有する。外縁シール部は、下部１２に広がる下部シール部１２ａ、第１側部１３に沿って延びる第１側部シール部１３ａ、及び、第１側部１３に対向する第２側部１４に沿って延びる第２側部シール部１４ａを含む。蒸気抜きシール部２０ａは、第１側部シール部１３ａに接続されている。なお、内容物が収容される前の状態の袋１０においては、図１Ａに示すように、袋１０の上部１１は第１開口部１１ｂになっている。袋１０に内容物を収容した後、第１フィルム１５の内面と第２フィルム１６の内面とを上部１１において接合することにより、上部シール部が形成されて袋１０が密閉される。
【００２４】
第１側部シール部１３ａ、第２側部シール部１４ａ、蒸気抜きシール部２０ａ及び上部シール部は、第１フィルム１５の内面と第２フィルム１６の内面とを接合することによって構成されるシール部である。一方、下部シール部１２ａは、第１フィルム１５の内面と第３フィルム１７の内面とを接合することによって構成されるシール部、及び、第２フィルム１６の内面と第３フィルム１７の内面とを接合することによって構成されるシール部を含む。
【００２５】
対向するフィルム同士を接合して袋１０を密閉することができる限りにおいて、シール部を形成するための方法が特に限られることはない。例えば、加熱などによってフィルムの内面を溶融させ、内面同士を溶着させることによって、すなわちヒートシールによって、シール部を形成してもよい。若しくは、接着剤などを用いて対向するフィルムの内面同士を接着することによって、シール部を形成してもよい。
【００２６】
次に、第１フィルム１５及び第２フィルム１６を構成する積層体２５の層構成について説明する。図１Ｂは、積層体２５の層構成の一例を示す断面図である。
【００２７】
積層体２５は、基材層２６及びシーラント層２７を少なくとも含む。図１Ｂに示す例においては、基材層２６が積層体２５の外面２５ｙを構成し、シーラント層２７が積層体２５の内面２５ｘを構成している。また、積層体２５は、基材層２６とシーラント層２７とを接着する接着層２８を更に含んでいてもよい。積層体２５の厚みは、例えば６０μｍ以上であり、より好ましくは７０μｍ以上である。また、積層体２５の厚みは、例えば１１０μｍ以下であり、より好ましくは１００μｍ以下である。なお、積層体２５は、図１Ｂに示す層以外の層を更に含んでいてもよい。
【００２８】
基材層２６を構成する材料としては、例えば、ポリエチレンテレフタレートやポリブチレンテレフタレートなどのポリエステルやナイロンなどのポリアミドや高密度ポリエチレンやポリプロピレンといったポリオレフィンなどのプラスチックを用いることができる。基材層２６の厚みは、例えば１０μｍ以上かつ３０μｍ以下である。
【００２９】
シーラント層２７を構成する材料としては、例えば、エチレン−メタクリル酸共重合体（ＥＭＭＡ）や低密度ポリエチレン（ＬＤＰＥ）や直鎖状低密度ポリエチレン（ＬＬＤＰＥ）などのポリエチレンやポリプロピレンを用いることができる。シーラント層２７の厚みは、例えば４０μｍ以上であり、より好ましくは５０μｍ以上である。また、シーラント層２７の厚みは、例えば１００μｍ以下であり、より好ましくは７０μｍ以下である。
【００３０】
次に、第３フィルム１７の層構成について説明する。第１フィルム１５の内面及び第２フィルム１６の内面と接合可能な内面を有する限りにおいて、第３フィルム１７の層構成は任意である。例えば、第１フィルム１５及び第２フィルム１６と同様に、第３フィルム１７として上述の積層体２５を用いてもよい。若しくは、内面がシーラント層によって構成され、且つ積層体２５とは異なる構成のフィルムを、第３フィルム１７として用いてもよい。
【００３１】
蒸気抜き機構
次に、図１Ａを参照して、蒸気抜き機構２０の構成について説明する。蒸気抜き機構２０の蒸気抜きシール部２０ａは、収容部１８の圧力の増加に伴って剥離され易い形状を有している。図１Ａに示す例においては、蒸気抜きシール部２０ａは、第１側部シール部１３ａから袋１０の内側に向かって突出した形状を有している。これにより、収容部１８の圧力が増加した際に蒸気抜きシール部２０ａに加わる力を、第１側部シール部１３ａに加わる力よりも大きくすることができる。また、蒸気抜きシール部２０ａの幅は、第１側部シール部１３ａの幅よりも小さくなっている。また、図１Ａに示すように、蒸気抜きシール部２０ａと第１側部１３の外縁との間には非シール部２０ｂが形成されている。これにより、第１側部シール部１３ａに比べて蒸気抜きシール部２０ａにおいて、シール部の剥離に起因する収容部１８と外部との連通を生じ易くすることができる。
また、図１Ａに示す例においては、蒸気抜き機構２０は、後述する第１部材３１及び第２部材３２よりも下部１２側に設けられている。
【００３２】
第１部材及び第２部材
次に、図１Ａ、図２及び図３を参照して、第１部材３１及び第２部材３２の構成について説明する。図２は、袋１０を図１ＡのＩＩ線に沿って切断した場合を示す断面図である。また、図３は、袋１０を図１ＡのＩＩＩ線に沿って切断した場合を示す断面図である。
【００３３】
第１部材３１は、第１接合部３１ａを含むベースフィルム３１ｃと、第１嵌合部３１ｂとを有する。図２に示すように、ベースフィルム３１ｃは、袋１０の上部１１寄りの部分において第１フィルム１５と第２フィルム１６との間に位置するフィルムである。上述の第１接合部３１ａとは、ベースフィルム３１ｃのうち第１フィルム１５の内面に接合されている部分のことである。第１嵌合部３１ｂは、第１接合部３１ａと重ならないように位置しており、ベースフィルム３１ｃのうち第１接合部３１ａ以外の部分に設けられている。図２に示す例において、第１接合部３１ａは、ベースフィルム３１ｃのうち第１フィルム１５の内面と対向する面に位置している。図２に示すように、第１部材３１のうち第１側部シール部１３ａと第２側部シール部１４ａとの間に位置する部分は、第２フィルム１６と接合されていない。
【００３４】
第２部材３２は、第２接合部３２ａと第２嵌合部３２ｂとを有する。図２に示すように、第２接合部３２ａは、第１フィルム１５の内面に接合されている。また、第２嵌合部３２ｂは、第１嵌合部３１ｂと嵌合可能に構成されている。図２においては、第１嵌合部３１ｂと第２嵌合部３２ｂとが嵌合した様子を示している。図１Ａなどの平面図においては、第１フィルム１５の内面に接合されている第１接合部３１ａ及び第２接合部３２ａに、シール部に施されたハッチングとは異なるハッチングが施されている。
【００３５】
第１接合部３１ａ及び第２接合部３２ａを第１フィルム１５の内面に接合する方法は、特に限定されない。例えば、加熱などによって第１接合部３１ａ、第２接合部３２ａ及び第１フィルム１５の内面を溶融させ、第１接合部３１ａと第１フィルム１５の内面とを溶着させ、第２接合部３２ａと第１フィルム１５の内面とを溶着させることによって接合してもよい。若しくは、接着剤などを用いて第１接合部３１ａと第１フィルム１５の内面とを接着し、第２接合部３２ａと第１フィルム１５の内面とを接着することによって接合してもよい。
【００３６】
ベースフィルム３１ｃは、第１フィルム１５の内面と接合可能な面を有する。ベースフィルム３１ｃは、第１フィルム１５の変形に追従して変形可能な程度の厚みを有する。ベースフィルム３１ｃの厚みは、例えば２５μｍ以下であり、１５μｍ以下であってもよい。ベースフィルム３１ｃを構成する材料としては、ポリエチレンテレフタレート（ＰＥＴ）、延伸ナイロン（ＯＮＹ）、ポリブチレンテレフタレート（ＰＢＴ）、又は、ポリエチレン（ＰＥ）やポリプロピレン（ＰＰ）などのポリオレフィンなどを用いることができる。
【００３７】
ベースフィルム３１ｃと同様に、第２接合部３２ａも、第１フィルム１５の内面と接合可能な面を有する。また、第２接合部３２ａも、第１フィルム１５の変形に追従して変形可能な程度の厚みを有する。第２接合部３２ａの厚みは、例えば４０μｍ以下であり、３０μｍ以下であってもよい。第２接合部３２ａを構成する材料としては、ＰＰ、ポリスチレン（ＰＳ）、ＰＥなどを用いることができる。
【００３８】
第１嵌合部３１ｂ及び第２嵌合部３２ｂの形状は、互いに嵌合可能である限り、特に限定されない。具体的には、図２に示すように、第１嵌合部３１ｂを雌型、第２嵌合部３２ｂを雄型とすることができる。また、図示はしないが、第１嵌合部３１ｂを雄型、第２嵌合部３２ｂを雌型とすることもできる。
【００３９】
第１嵌合部３１ｂ及び第２嵌合部３２ｂは、内容物の加熱時に溶融したり損傷したりしない程度の耐熱性を有する。第１嵌合部３１ｂ及び第２嵌合部３２ｂを構成する材料としては、ＰＰ、ＰＳ、ＰＥなどを用いることができる。第１嵌合部３１ｂは、ベースフィルム３１ｃと一体的に構成されていてもよい。また、第２嵌合部３２ｂは、第２接合部３２ａと一体的に構成されていてもよい。なお、「一体的」とは、両者の間に接合面などの界面が存在しないことを意味する。
【００４０】
図２に示す例において、第２嵌合部３２ｂは第２接合部３２ａに重なっている。すなわち、第２部材３２のうち第１フィルム１５の内面に接合されている部分において、第２フィルム１６側に第２嵌合部３２ｂが設けられている。しかしながら、第２嵌合部３２ｂの配置はこれに限られない。例えば、図示はしないが、第２部材３２のうち第１フィルム１５の内面に接合されていない部分に第２嵌合部３２ｂが設けられていてもよい。
【００４１】
本実施の形態においては、図１Ａ及び図３に示すように、第１部材３１及び第２部材３２が、第１側部シール部１３ａから第２側部シール部１４ａに至るよう形成されている。このため、第１嵌合部３１ｂと第２嵌合部３２ｂが嵌合されている時、袋１０の内部には、収容部１８から隔離された空間１９が形成される。空間１９は、第１接合部３１ａ、ベースフィルム３１ｃ、第１嵌合部３１ｂ、第２嵌合部３２ｂ、第２接合部３２ａ及び第１フィルム１５によって囲われている。
【００４２】
破断機構
次に、破断機構３３について説明する。破断機構３３は、第１フィルム１５を破断させて上述の空間１９に連通する開口部を第１フィルム１５に形成するための構成要素である。図１Ａ及び図２に示すように、破断機構３３は、第１接合部３１ａと第２接合部３２ａとの間の位置において第１フィルム１５を破断させ、開口部を形成するための構成要素である。以下、第１フィルム１５の破断によって形成された開口部のことを、第２開口部とも称する。図１Ａ、図２及び図３に示す例において、破断機構３３は、第１側部シール部１３ａから第２側部シール部１４ａに至るように設けられた帯状部材３３ａを含む。帯状部材３３ａを袋１０から分離するように帯状部材３３ａの第１側部１３側の端部を第２側部１４側に引っ張る際、帯状部材３３ａは、第１フィルム１５のうち帯状部材３３ａの外縁と重なる部分に、第１フィルム１５を袋１０の幅方向に引き裂くためのせん断力を加える。これにより、第１フィルム１５に、第１側部１３側から第２側部１４側に延び、帯状部材３３ａの幅に対応する幅を有する第２開口部を形成することができる。
【００４３】
図２に示すように、帯状部材３３ａのうち第１フィルム１５側の面は、第１フィルム１５の内面に接合されている。破断機構３３のうち第２フィルム１６側の面は、第１部材３１のベースフィルム３１ｃに接合されていてもよく、接合されていなくてもよい。破断機構３３がベースフィルム３１ｃに接合されている場合であっても、破断機構３３を利用して第１フィルム１５を破断させる際、破断機構３３はベースフィルム３１ｃから分離される。なお、破断機構３３を利用して第１フィルム１５を破断させることができる限りにおいて、破断機構３３のうち第１フィルム１５側の面が、第１フィルム１５の内面に接合されていない部分を含んでいてもよい。
【００４４】
図１Ａに示すように、破断機構３３は、帯状部材３３ａの第１側部１３側の端部に接続されたつまみ部３３ｂを含んでいてもよい。つまみ部３３ｂは、第１側部シール部１３ａと重なるよう配置されている。また、つまみ部３３ｂは、消費者にとって帯状部材３３ａよりも摘みやすい形状を有する。例えば、袋１０の上下方向におけるつまみ部３３ｂの寸法は、袋１０の上下方向における帯状部材３３ａの寸法、すなわち帯状部材３３ａの幅よりも大きい。つまみ部３３ｂは、帯状部材３３ａと一体的に構成されていてもよく、帯状部材３３ａとは別体として構成されていてもよい。図１Ａ及び図３に示すように、つまみ部３３ｂの周囲には、袋１０を第１フィルム１５側から第２フィルム１６側に貫通する切り抜き４２が形成されている。
【００４５】
図１Ａ及び図３に示すように、つまみ部３３ｂよりも第２側部１４側の位置であって第１側部シール部１３ａ及び破断機構３３と重なる位置に、袋１０のうち第２フィルム１６の外面から破断機構３３の第２フィルム１６側の面までの部分を貫通するスリット４１が形成されていてもよい。第２フィルム１６や第１部材３１のうちつまみ部３３ｂに接合されている部分を、スリット４１によって帯状部材３３ａから分離することにより、つまみ部３３ｂ及び帯状部材３３ａを第１フィルム１５側に引き上げる又は押し上げることに要する力を低減することができる。また、帯状部材３３ａと重なっている第２フィルム１６や第１部材３１がつまみ部３３ｂ及び帯状部材３３ａを第１フィルム１５側に引き上げる又は押し上げる際に破断してしまうことを抑制することができる。
【００４６】
破断機構３３の帯状部材３３ａを構成する材料としては、ＰＥＴ、ＰＳ、ＰＰなどを用いることができる。帯状部材３３ａの厚みは、例えば１００μｍ以上且つ８００μｍ以下である。また、帯状部材３３ａの幅（袋１０の上下方向における帯状部材３３ａの寸法）は、例えば１ｍｍ以上且つ１０ｍｍ以下である。
【００４７】
袋の製造方法
次に、図４及び図５を参照して、本実施の形態における袋１０の製造方法について説明する。図４は、袋１０の製造工程において、袋１０の構成要素をどのように重ねて接合するのかを示した斜視図である。図５は、第１部材３１の第１接合部３１ａ及び第２部材３２の第２接合部３２ａを、それぞれ第１フィルム１５の内面に接合する工程における、第１部材３１、第２部材３２及び第１フィルム１５の様子を示した図である。
【００４８】
まず、図４に示すように、第１フィルム１５、第２フィルム１６、第１部材３１、第２部材３２及び破断機構３３を準備する。本実施の形態において、破断機構３３は、あらかじめ第１部材３１の第１接合部３１ａに接する位置において、第１部材３１に剥離可能に取り付けられている。なお、第１フィルム１５、第２フィルム１６、第１部材３１、第２部材３２及び破断機構３３はそれぞれ、破断機構３３が延びる方向に沿って延びる長尺状の部材として準備されてもよい。
【００４９】
次に、第１部材３１の第１接合部３１ａ及び第２部材３２の第２接合部３２ａを、それぞれ第１フィルム１５の内面に接合する。また、第１フィルム１５及び第２フィルム１６の下部１２側に、折り返した状態の第３フィルム１７を挿入し、各フィルムの内面同士をヒートシールして、下部シール部１２ａ、第１側部シール部１３ａ、第２側部シール部１４ａなどのシール部を形成する。なお、第１接合部３１ａ及び第２接合部３２ａを第１フィルム１５の内面に接合する工程においては、図５に示すように、第１部材３１と第２部材３２との間に邪魔板５１を挿入してもよい。これにより、第１部材３１と第２部材３２とが接合されることを抑制することができる。
【００５０】
その後、ヒートシールによって互いに接合された各フィルムを、袋１０の形状に切り抜く。このようにして、図１Ａに示す袋１０を得ることができる。
【００５１】
第１内容物の充填方法
次に、上述の袋１０に第１内容物を充填する方法について説明する。まず、図１Ａ及び図２に示す袋１０の上部１１の第１開口部１１ｂを介して、第１内容物６１を袋１０に充填する。次に、第１内容物６１が収容された袋１０の上部１１をヒートシールして上部シール部１１ａを形成する。このようにして、第１内容物６１が収容され封止された袋１０を得ることができる。図６は、上部１１が封止された状態の袋１０を示す正面図である。また、図７は、袋１０を図６のＶＩＩ線に沿って切断した場合を示す断面図である。
【００５２】
袋１０の上部１１の第１開口部１１ｂを介して第１内容物６１を袋１０に充填する際、第１内容物６１は、第２フィルム１６と第１部材３１との間を通る。従って、本実施の形態によれば、第１嵌合部３１ｂと第２嵌合部３２ｂとの間を通すことなく第１内容物６１を収容部１８に充填することができる。このため、第１嵌合部３１ｂ及び第２嵌合部３２ｂに第１内容物６１が付着することを抑制することができるので、第１内容物６１の付着に起因して第１嵌合部３１ｂと第２嵌合部３２ｂとの間の嵌合力が低下することを抑制することができる。また、消費者が第１嵌合部３１ｂ及び第２嵌合部３２ｂを開く際に第１内容物６１が消費者の手に付着することを抑制することができる。
【００５３】
袋の使用方法
次に、第１内容物６１が収容された袋１０を消費者が使用する方法の一例について説明する。まず、消費者は、破断機構３３を利用して袋１０を開封する。図８は、開封された状態の袋１０を示す斜視図である。図９は、開封された状態の袋１０を示す断面図である。
【００５４】
以下、破断機構３３を利用して袋１０を開封する方法について説明する。まず、消費者は、袋１０のつまみ部３３ｂを第１フィルム１５側に立ち上げてつまみ部３３ｂを摘む。次に、消費者は、第１側部１３側から第２側部１４側に向かって、つまみ部３３ｂを引く。これにより、破断機構３３を、第２部材３２から剥離させるとともに、第１フィルム１５のうち破断機構３３の帯状部材３３ａの外縁と重なる部分に、第１フィルム１５を袋１０の幅方向に引き裂くためのせん断力を加えることができる。これにより、図８及び図９に示すように、第１接合部３１ａと第２接合部３２ａとの間において第１フィルム１５に、帯状部材３３ａに対応した形状を有する第２開口部１１ｃを形成することができる。なお、図８においては、破断機構３３が袋１０から分離するまでつまみ部３３ｂを引いた場合の袋１０を示しているが、第１フィルム１５を破断させる方法は、これに限定されるものではない。例えば、消費者は、破断機構３３が第２側部１４側において袋１０とつながっている状態でつまみ部３３ｂの引っ張りを停止してもよい。また、第１嵌合部３１ｂと第２嵌合部３２ｂとを予め嵌合させてある場合には、消費者は、第１部材３１と第２部材３２との間を広げるように袋１０に力を加えて、第１嵌合部３１ｂと第２嵌合部３２ｂとの間の嵌合を外す。このようにして、収容部１８に連通する第２開口部１１ｃを袋１０に形成することができる。
【００５５】
続いて、消費者は、第２開口部１１ｃを介して第２内容物６２を袋１０の収容部１８に追加する。次に、消費者は、図１０に示すように、第１嵌合部３１ｂと第２嵌合部３２ｂとを嵌合させる。このようにして、袋１０に第２内容物６２を追加した上で、袋１０を再び封止することができる。
【００５６】
続いて、消費者は、下部１２を下にして袋１０を自立させた状態で、電子レンジを利用して内容物を加熱する。これによって、第１内容物６１及び第２内容物６２の温度が高くなり、これに伴って、第１内容物６１及び第２内容物６２に含まれる水分が蒸発して収容部１８の圧力が高まる。収容部１８の圧力が高くなると、第１フィルム１５及び第２フィルム１６が外側に膨らみ、蒸気抜き機構２０の蒸気抜きシール部２０ａに力が加わり、蒸気抜きシール部２０ａが剥離する。これにより、蒸気抜き機構２０の非シール部２０ｂを介して収容部１８の蒸気を外部に逃がしつつ、第１内容物６１及び第２内容物６２を加熱することができる。
【００５７】
ここで本実施の形態においては、収容部１８の圧力が高くなって第１フィルム１５及び第２フィルム１６が外側に膨らむとき、第１嵌合部３１ｂが設けられているベースフィルム３１ｃも第１フィルム１５と同様に変形することができる。このため、第１嵌合部３１ｂが設けられているベースフィルム３１ｃと、第２嵌合部３２ｂが設けられている第１フィルム１５との間の間隔は、収容部１８の圧力又は温度が一定以上大きくならない限り、収容部１８の圧力の上昇によっては広がらない。従って、第１内容物６１及び第２内容物６２を加熱している間、第１嵌合部３１ｂと第２嵌合部３２ｂとの間の嵌合を安定に維持することができる。これにより、蒸気抜きシール部２０ａが剥離するまでの間、第１内容物６１及び第２内容物６２に十分に圧力や熱を加えることができる。
【００５８】
第１内容物６１及び第２内容物６２を加熱した後、消費者は、袋１０を開封して第１内容物６１及び第２内容物６２の混合物を袋１０から取り出す。この時の袋１０の開封方法は任意である。例えば、消費者は、第１部材３１と第２部材３２との間を広げるように袋１０に力を加えて、第１嵌合部３１ｂと第２嵌合部３２ｂとの間の嵌合を外してもよい。この場合、消費者は、第２開口部１１ｃを介して第１内容物６１及び第２内容物６２を取り出すことができる。また、消費者は、袋１０を引き裂くことなどによって袋１０に新たな開口部を形成し、第１内容物６１及び第２内容物６２を取り出してもよい。
【００５９】
以下、本実施の形態に係る袋１０の更なる特徴及び効果について説明する。本実施の形態に係る袋１０においては、図２及び図７に示すように、第１部材３１のうち第１側部シール部１３ａと第２側部シール部１４ａとの間に位置する部分が、第２フィルム１６と接合されていない。これによって、収容部１８の圧力が高くなって第１フィルム１５及び第２フィルム１６が外側に膨らむとき、第１嵌合部３１ｂが設けられているベースフィルム３１ｃも第１フィルム１５と同様に変形する。すなわち、ベースフィルム３１ｃも第１フィルム１５側に膨らむ。このため、第１嵌合部３１ｂが設けられているベースフィルム３１ｃと、第２嵌合部３２ｂが設けられている第１フィルム１５との間の間隔は、収容部１８の圧力又は温度が一定以上大きくならない限り、収容部１８の圧力の上昇によっては広がらない。従って、第１内容物６１及び第２内容物６２を加熱している間、第１嵌合部３１ｂと第２嵌合部３２ｂとの間の嵌合を安定に維持することができる。また、第１部材３１のうち第１側部シール部１３ａと第２側部シール部１４ａとの間に位置する部分が、第２フィルム１６と接合されていないことによって、図２に示すように、第２フィルム１６と第１部材３１との間の第１開口部１１ｂが収容部１８に連通できる。このため、第１開口部１１ｂを介して、第１嵌合部３１ｂと第２嵌合部３２ｂとの間を通すことなく第１内容物６１を収容部１８に充填することができる。
【００６０】
また、本実施の形態に係る袋１０においては、図１Ａ及び図６に示すように、第１接合部３１ａ、第１嵌合部３１ｂ、第２接合部３２ａ及び第２嵌合部３２ｂがそれぞれ、第１側部シール部１３ａから第２側部シール部１４ａに延びている。これによって、図８に示すように、第１側部シール部１３ａと第２側部シール部１４ａとの間に第２開口部１１ｃを形成した場合に、第１嵌合部３１ｂと第２嵌合部３２ｂとを嵌合させることによって、第２開口部１１ｃを閉じて袋１０を封止することができる。
【００６１】
（第１の変形例）
上述の実施の形態においては、蒸気抜き機構２０が、第１部材３１及び第２部材３２よりも下部１２側に設けられている袋１０について説明した。しかしながら、これに限られることはなく、図１１に示すように、蒸気抜き機構２０が、第１部材３１及び第２部材３２よりも上部１１側に設けられていてもよい。
【００６２】
（第２の変形例）
上述の実施の形態及び変形例においては、蒸気抜き機構２０の非シール部２０ｂが袋１０の側縁などの外縁において外部に連通している例を示した。しかしながら、これに限られることはなく、図１２及び図１３に示すように、非シール部２０ｂが、第１側部シール部１３ａと、第１側部シール部１３ａに接続された蒸気抜きシール部２０ａとによって囲まれていてもよい。すなわち、非シール部２０ｂが袋１０の外縁に接していなくてもよい。この場合、蒸気抜き機構２０は、非シール部２０ｂにおいて第１フィルム１５又は第２フィルム１６の少なくともいずれか一方に形成された貫通孔２０ｃを更に有する。
【００６３】
上述の蒸気抜き機構２０は、図１２に示すように、第１部材３１及び第２部材３２よりも上部１１側に設けられていてもよい。また、図１３に示すように、第１部材３１及び第２部材３２よりも下部１２側に設けられていてもよい。
【００６４】
（第３の変形例）
上述の実施の形態及び各変形例においては、蒸気抜き機構２０の蒸気抜きシール部２０ａが第１側部シール部１３ａに接続されている例を示した。しかしながら、これに限られることはなく、図１４及び図１５に示すように、蒸気抜きシール部２０ａが第１側部シール部１３ａや第２側部シール部１４ａなどの袋１０の外縁のシール部に接続されていなくてもよい。この場合、蒸気抜き機構２０は、蒸気抜きシール部２０ａによって囲われた領域に位置する貫通孔２０ｃを更に有する。
【００６５】
上述の蒸気抜き機構２０は、図１４に示すように、第１部材３１及び第２部材３２よりも上部１１側に設けられていてもよい。また、図１５に示すように、第１部材３１及び第２部材３２よりも下部１２側に設けられていてもよい。
【００６６】
（第４の変形例）
上述の実施の形態及び各変形例においては、蒸気抜き機構２０の蒸気抜きシール部２０ａが、第１フィルム１５の内面と第２フィルム１６の内面とを接合することによって形成されるシール部である例を示した。しかしながら、これに限られることはなく、蒸気抜きシール部２０ａは、第１フィルム１５又は第２フィルム１６の内面同士を接合することによって形成されるシール部であってもよい。例えば図１６及び図１７に示すように、蒸気抜きシール部２０ａは、上部１１側の第１フィルム１５の一部と下部１２側の第１フィルム１５の一部とを重ね合わせたウィング部１５ｗにおいて第１フィルム１５の内面同士を接合することによって形成されている。この場合、図１６及び図１７に示すように、蒸気抜きシール部２０ａは、第１側部１３と第２側部１４の中間に形成されていてもよい。
【００６７】
上述の蒸気抜き機構２０は、図１６に示すように、第１部材３１及び第２部材３２よりも上部１１側に設けられていてもよい。また、図１７に示すように、第１部材３１及び第２部材３２よりも下部１２側に設けられていてもよい。また、図示はしないが、上述の蒸気抜き機構２０を第２フィルム１６に形成する場合においては、第１部材３１又は第２部材３２と重なる位置に、蒸気抜き機構２０が設けられていてもよい。
【００６８】
（第５の変形例）
上述の実施の形態及び各変形例においては、袋１０が、第１フィルム１５、第２フィルム１６及び第３フィルム１７を備える底ガセットタイプの袋である例を示した。しかしながら、これに限られることはなく、図１８に示すように、袋１０が、第１フィルム１５及び第２フィルム１６を備える、いわゆる平パウチであってもよい。この場合、蒸気抜きシール部２０ａが収容部１８の中心点Ｃよりも鉛直方向において上方に位置するよう袋１０の姿勢が維持された状態で、袋１０が電子レンジにより加熱される。例えば、袋１０が、図示しない紙製の箱に収容された状態で販売される場合、箱を用いて袋１０を所定の姿勢に維持することができる。
なお、中心点Ｃとは、上部１１が封止された状態の袋１０の上部シール部の内縁の中間点と下部シール部１２ａの内縁の中間点とを結ぶ線分の中間点として定義される点である。
【００６９】
（第６の変形例）
上述の実施の形態においては、上部シール部１１ａによって封止されているが、破断機構３３の箇所では開封されていない状態の袋１０に、第１内容物６１が収容されている例を示した。しかしながら、これに限られることはなく、上部シール部１１ａによって封止されているが、破断機構３３の箇所では開封されていない状態の袋１０に、内容物が収容されていなくてもよい。この場合、消費者は、破断機構３３を利用して袋１０を開封した後、第２開口部１１ｃを介して内容物を袋１０の収容部１８に投入する。続いて、第１嵌合部３１ｂと第２嵌合部３２ｂとを嵌合させた後、電子レンジを利用して内容物を加熱してもよい。
【００７０】
なお、上述した実施の形態に対するいくつかの変形例を説明してきたが、当然に、複数の変形例を適宜組み合わせて適用することも可能である。
【符号の説明】
【００７１】
１０  袋
１１  上部
１１ａ  上部シール部
１１ｂ  第１開口部
１１ｃ  第２開口部
１２  下部
１２ａ  下部シール部
１３  第１側部
１３ａ  第１側部シール部
１４  第２側部
１４ａ  第２側部シール部
１５  第１フィルム
１５ｗ  ウィング部
１６  第２フィルム
１７  第３フィルム
１７ｆ  折り返し部
１８  収容部
１９  空間
２０  蒸気抜き機構
２０ａ  蒸気抜きシール部
２０ｂ  非シール部
２０ｃ  貫通孔
２５  積層体
２５ｘ  内面
２５ｙ  外面
２６  基材層
２７  シーラント層
２８  接着層
３１  第１部材
３１ａ  第１接合部
３１ｂ  第１嵌合部
３１ｃ  ベースフィルム
３２  第２部材
３２ａ  第２接合部
３２ｂ  第２嵌合部
３３  破断機構
３３ａ  帯状部材
３３ｂ  つまみ部
４１  スリット
４２  切り抜き
５１  邪魔板
６１  第１内容物
６２  第２内容物
【図１Ａ】
2019137466.tif 000003
【図１Ｂ】
2019137466.tif 000004
【図２】
2019137466.tif 000005
【図３】
2019137466.tif 000006
【図４】
2019137466.tif 000007
【図５】
2019137466.tif 000008
【図６】
2019137466.tif 000009
【図７】
2019137466.tif 000010
【図８】
2019137466.tif 000011
【図９】
2019137466.tif 000012
【図１０】
2019137466.tif 000013
【図１１】
2019137466.tif 000014
【図１２】
2019137466.tif 000015
【図１３】
2019137466.tif 000016
【図１４】
2019137466.tif 000017
【図１５】
2019137466.tif 000018
【図１６】
2019137466.tif 000019
【図１７】
2019137466.tif 000020
【図１８】
2019137466.tif 000021